(57)【要約】【課題】  耐振動性能に優れ、また表示板の透過照明において、均一な照明を得る表示装置を提供する。【解決手段】  計測情報を示す指標を設けた表示板１３と、この表示板１３を透過照明する光源２１と、この光源２１を実装し、表示板１３に対して所定間隔おいて設けられる回路基板２と、表示板１３と回路基板２とを収納保持するケース３と、を備え、ケース３は、表示板１３を臨むための光透過性の窓部を設ける第１のケース３１と、表示板１３に接する受け部３２ａと、光源２１からの照明光を表示板１３に導くために傾斜する反射部３２ｂと、回路基板２を表示板１３と離間して保持する保持部３２ｃと、を設ける第２のケース３２と、によって収納空間を形成してなる。【選択図】  図１
2013228341.tif 000002
【特許請求の範囲】
【請求項１】
計測情報を示す指標を設けた表示板と、
この表示板を透過照明する光源と、
この光源を実装し、前記表示板に対して所定間隔おいて設けられる回路基板と、
前記表示板と前記回路基板とを収納保持するケースと、を備え、
前記ケースは、前記表示板を臨むための光透過性の窓部を設ける第１のケースと、
前記表示板に接する受け部と、前記光源からの照明光を前記表示板に導くために傾斜する反射部と、
前記回路基板を前記表示板と離間して保持する保持部と、を設ける第２のケースと、
によって収納空間を形成してなることを特徴とする表示装置。
【請求項２】
前記回路基板は、前記表示板よりも小さな面積で形成され、
前記反射部は、前記回路基板の端部よりも外側に形成されてなることを特徴とする請求項１に記載の表示装置。
【請求項３】
前記表示板は、前記第１のケースに設けられる抑え部と、前記第２のケースの前記受け部とによって周縁の一部が挟まれて保持されることを特徴とする請求項１または請求項２に記載の表示装置。
【発明の詳細な説明】
【技術分野】
【０００１】
本発明は、ケースに収納される表示装置に関するものであり、例えば、車両など、振動を伴う移動体に搭載される表示装置として好適である。
【背景技術】
【０００２】
従来、自動車やオートバイ、建設機械などの移動体に装備される表示装置として、たとえば速度計， 回転計， 温度計などの計器本体からなる計器類や各種装置の状態を運転者に知らせるための警報装置などが合成樹脂製の計器ケース内に収納されている。この場合、計器本体の前面側には計器類や警報装置などを収納する計器ケースの前面開放側に指標部を施してなる表示板が配設され、前記計器類などに設けた指針の指示を表示板の指標部と対比判読することができるようにしている。例えば、特許文献１に開示している。
【０００３】
また、特許文献２に開示される表示装置にあっては、モータからなる指針駆動部の上部に取り付けられる取付板と、この取付板の表面側に重ね合わせて取り付け固定される表示板（文字板）とを備え、この表示板を押圧変形可能な平板状の合成樹脂材料により形成し、かつこの表示板を前記取付板に対して弾性変形状態に固定保持したことを特徴とする指示計器における表示板の固定構造であり、表示板を簡単にかつ確実に固定保持できるものが提案されている。
【先行技術文献】
【特許文献】
【０００４】
【特許文献１】特開２０１０−８５１８０号公報
【特許文献２】特開２０００−２２１０６１号公報
【発明の概要】
【発明が解決しようとする課題】
【０００５】
しかしながら、特許文献１の表示装置は、照明用光源等の電子部品を実装する回路基板と、表示板との間に、照明効率を高めるための照明光の反射や、表示板との所定間隔を保持するための役割を果たす合成樹脂材のスペーサを介在させており、部品数の増加や、組み付けを煩雑化する要因になっていた。
【０００６】
また、特許文献２の表示装置は、表示板の固定構造において、下ケースに表示板を受ける受け部を設けず、弾性変形可能な表示板を取付板によって弾性変形状態にて固定する構造であり、過酷な環境下で使用される表示装置では、熱膨張サイクルによって、表示板の復元能力が低下し、経時変化にともなって、耐振動性能が低下してしまうおそれがあった。また、表示板背後に配置される少ない数の光源によって、表示板の透過照明を行う構造を採用しているが、光源が無い側の表示板照明が指針駆動部の影により暗くなるなど、表示板の透過照明にむらが生じてしまう問題点があった。
【０００７】
そこで本発明の目的は、上述した課題に着目して、耐振動性能に優れ、また表示板の透過照明において、均一な照明を得る表示装置を提供することにある。
【課題を解決するための手段】
【０００８】
本発明の表示装置は、計測情報を示す指標を設けた表示板と、この表示板を透過照明する光源と、この光源を実装し、前記表示板に対して所定間隔おいて設けられる回路基板と、前記表示板と前記回路基板とを収納保持するケースと、を備え、前記ケースは、前記表示板を臨むための光透過性の窓部を設ける第１のケースと、前記表示板に接する受け部と、前記光源からの照明光を前記表示板に導くために傾斜する反射部と、前記回路基板を前記表示板と離間して保持する保持部と、を設ける第２のケースと、によって収納空間を形成してなることを特徴とする。
【０００９】
また、前記回路基板は、前記表示板よりも小さな面積で形成され、前記反射部は、前記回路基板の端部よりも外側に形成されてなることを特徴とする。
【００１０】
また、前記表示板は、前記第１のケースに設けられる抑え部と、前記第２のケースの前記受け部とによって周縁の一部が挟まれて保持されることを特徴とする。
【発明の効果】
【００１１】
本発明は、ケースに収納される表示装置に関し、耐振動性能に優れ、また表示板の透過照明において、均一な照明を得ることができる。
【図面の簡単な説明】
【００１２】
【図１】本発明の実施の形態である表示装置を示す断面図。
【図２】同上実施の形態である表示装置の平面図。
【発明を実施するための形態】
【００１３】
以下、本発明の実施の形態を添付した図面に基づいて説明する。
【００１４】
図１は、建設機械車両に搭載される表示モニタ（表示装置）の一部を示す断面にて示す図であり、指針式計器１と、回路基板２と、ケース３とを備えており、車両情報を操縦席から確認できるように設けられる。
【００１５】
指針式計器１は、例えば、図２に示すように、燃料計や速度計を適用でき、車両から送られてくる計測データに基づいて、モータからなる駆動源１１によって回動する指針１２と、この指針１２の指示対象となる目盛りや数字、記号等からなる指標が印刷された表示板１３とを設けている。利用者は、表示板１３上を回動する指針１２と指示された指標とによって計測値を対比判読できる。
【００１６】
また、表示板１３は、透明基板に背景や指標などが印刷形成され、指標の一部が、後述の光源からの照明によって透過照明可能に印刷形成される。表示板１３の裏面側には、反射効率をよくする白色の印刷層や前述指標の透過部１３ａの透過光量を調整する網点印刷が設けられる。また、表示板１３は、駆動源１１に複数箇所ビス止め保持される。
【００１７】
回路基板２は、例えば、ガラス繊維を含む樹脂からなる硬質基板を適用でき、ケース３の底面に配置されており、発光ダイオードチップからなる光源２１や、駆動源１１、駆動源１１や光源２１の制御用集積回路など、各種電子部品を実装されている。
【００１８】
また、回路基板２は、表示板１３と所定間隔だけ離間して設けられ、表示板１３よりも小さな面積のものが用いられ、少なくとも駆動源１１実装部分において、駆動源１１を介して重なるように設けられる。なお、回路基板２の端部側には、表示板１３の指標を照明するための光源が実装されている。
【００１９】
ケース３は、合成樹脂を用いて形成され、第１のケース３１と第２のケース３２とを組み合わせて、指針式計器１や回路基板２を収納する収納空間を形成する。なお、この場合、第１のケースと第２のケースとは、互いに嵌め合わせた状態で、フックやビス締めによって接合される。
【００２０】
第１のケース３１は、指針１２や表示板１３の指標を臨むための光透過性の窓部３１ａが設けられ、この場合、透明なアクリルによって窓部３１ａを形成するとともに、光漏れを防ぎ第２のケース３２に接続するための遮光性の合成樹脂と一体に成形されている。また、遮光部分には、表示板１３の視認可能領域を区画するとともに、表示板１３の周縁付近に表側から接する抑え部３１ｂが形成されている。
【００２１】
第２のケース３２は、抑え部３１ｂとともに表示板１３を挟み込むように表示板１３の周縁付近に裏側から接する受け部３２ａと、光源２１からの照明光を表示板１３の透過部（指標）１３ａに導くために表示板１３の周縁に近づくにつれて表示板１３との距離が短くなるように傾斜し、光源２１からの照明光を効率よく透過部１３ａへ反射する白色の曲面からなる反射部３２ｂと、回路基板２の実装面に対して表示板１３の表示面が所定間隔（駆動源１３の大きさによって定まる間隔）だけ離間して保持されるように、回路基板２の位置を定める保持部３２ｃと、を同一の遮光性合成樹脂材にて一体に設ける。
【００２２】
なお、回路基板２は、指針式計器１が接続保持された状態にて、図示しないビス止めによって、第２のケース３２の底面に保持される。従って、第２のケース３２に回路基板２を収納保持することによって、表示板１３の裏面と受け部３２ａとが接するとともに、所望の位置に反射部３２ｂが配置される。
【００２３】
従って、表示板１３の中間部分を駆動源１１への複数ビス止めと、表示板１３の周縁付近における抑え部３１ｂと、受け部３２ａとによる挟み込みによって、表示装置の振動によって、表示板１３から異音が発生するなどの不具合を抑止できる。さらに、抑え部３１ｂあるいは受け部３２ａは、表示板１３の当接箇所に、スポンジやゴム等の緩衝部材を貼り付けて形成することで、表示板１３の振動による不具合をより低減できる。
【００２４】
また、第２のケース３２の反射部３２ｂは、回路基板２の端部よりも外側に形成され、回路基板２の端部側に設けられた光源２１の照明光を表示板１３の透過部１３ａへ導くことができる。この場合、反射部３２ｂは、回路基板２の端部付近から、表示板１３の端部付近の受け部３２ａまで傾斜して形成されている。従って、表示板１３のすべての透過部１３ａの背後（直下）に回路基板２を設けずとも、表示板１３の裏面と反射部との反射により照明光を表示板１３の透過部１３ａへ効率よく届けることができるため、回路基板２を小型にできる。
【００２５】
斯かる表示装置にあっては、計測情報を示す指標を設けた表示板１３と、この表示板１３を透過照明する光源２１と、この光源２１を実装し、表示板１３に対して所定間隔おいて設けられる回路基板２と、表示板１３と回路基板２とを収納保持するケース３と、を備え、ケース３は、表示板１３を臨むための光透過性の窓部を設ける第１のケース３１と、表示板１３に接する受け部３２ａと、光源２１からの照明光を表示板１３に導くために傾斜する反射部３２ｂと、回路基板２を表示板１３と離間して保持する保持部３２ｃと、を設ける第２のケース３２と、を嵌め合わせて収納空間を形成してなる。
【００２６】
従って、耐振動性能に優れ、また表示板の透過照明において、均一な照明を計る表示装置となる。また、表示板背後に配置される少ない数の光源によって、均一な照明を得ることができる。また、第２のケース３２に、受け部３２ａ、反射部３２ｂ、保持部３２ｃが一体に形成されているため、組み付け作業が容易になる。特に、各部品を積層して組み付ける際に、反射部３２ｂと回路基板２とが重ならないため、位置決めや固定等の作業を容易にできる。
【００２７】
また、回路基板２は、表示板１３よりも小さな面積で形成され、反射部３２ｂは、回路基板２の端部よりも外側に形成されてなることにより、均一照明でかつ照明効率を高めた分、回路基板を小型化でき、回路基板における振動対策も容易になる。また、表示板の指標（透過部）の背後には、光源を実装する回路基板または第２のケースの反射部の何れかが設けられるため、ムラのない照明を行うことができる。
【００２８】
また、表示板１３は、第１のケース３１に設けられる抑え部３１ｂと、第２のケース３２の受け部３ａとによって周縁の一部が挟まれて保持されることによって、経時変化にともなって、耐振動性能が低下してしまうことを抑止できる。
【００２９】
なお、本発明の表示装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、第１のケース３１を、別種の材質のものを一体的に成形して設けるものを示したが、アクリル等の透明な合成樹脂だけで形成するものであってもよい。この場合、表示板の視認可能領域を区画する見返し部材（加飾意匠部材）などを別途設けることもできる。また、第１のケースと第２のケースとの間に筐体を形成するための別途部材を介することもできる。
【産業上の利用可能性】
【００３０】
本発明は、車両などの移動体に搭載して各種情報を表示する表示装置に関して、例えば、自動車やオートバイ、あるいは農業機械や建設機械を備えた移動体に搭載される表示装置として適用でき、特に、建設機械などの特殊車輌あるいはオートバイなど激しい振動をともなう環境で使用される計器に好適である。
【符号の説明】
【００３１】
１    指針式計器
１１  駆動源
１２  指針
１３  表示板
１３ａ  透過部
２    回路基板
２１  光源
３    ケース
３１  第１のケース
３１ａ  窓部
３１ｂ  抑え部
３２  第２のケース
３２ａ  受け部
３２ｂ  反射部
３２ｃ  保持部
【図１】
2013228341.tif 000003
【図２】
2013228341.tif 000004